(57)【要約】【課題】捕虫器において、器具周辺の環境を汚すことなく虫を静かに捕獲可能であって、大量の虫を捕獲しても器具の捕虫効率が低下することがないようにする。【解決手段】捕虫器１は、虫２０を誘引する第１の誘引部としての誘虫光源２と、誘虫光源２に誘引された虫２０を捕獲する捕獲部３と、捕獲部３の入口に設けられ、この入口から捕獲部３の内部に向かう方向に傾斜して植毛された植毛部４と、誘虫光源２に誘引された虫２０を植毛部４を通して捕獲部３の内部へ誘引する第２の誘引部としての誘虫光源５とを備える。誘虫光源２に近寄ってきた虫２０は、誘虫光源５から出射された光により誘引され、植毛部４に侵入する。植毛部４に侵入した虫２０は、捕獲部３の内部に向かって植毛部４を移動し、植毛部４を通り抜けると捕獲部３に捕獲される。捕獲部３に捕獲された虫２０は、餌や水分の不足によって死滅する。【選択図】図２
2009296987.tif 000002
【特許請求の範囲】
【請求項１】
虫を誘引する第１の誘引部と、前記第１の誘引部に誘引された虫を捕獲する捕獲部とを備えた捕虫器であって、
前記捕獲部の入口に設けられ、該入口から該捕獲部の内部に向かう方向に傾斜して植毛された植毛部と、
前記第１の誘引部に誘引された虫を、前記植毛部を通して前記捕獲部の内部へ誘引する第２の誘引部とを備えることを特徴とする捕虫器。
【請求項２】
前記第２の誘引部は、前記捕獲部の内部に設けられており、前記第１の誘引部よりも高い誘虫効果を有していることを特徴とする請求項１に記載の捕虫器。
【請求項３】
前記第１の誘引部及び第２の誘引部は、前記捕獲部の内部に設けられた１つの誘引源であることを特徴とする請求項１に記載の捕虫器。
【請求項４】
前記第１の誘引部及び第２の誘引部は、紫外線を含有する光を出射する捕虫用ランプであり、
前記植毛部は、透光性を有することを特徴とする請求項３に記載の捕虫器。
【請求項５】
前記第２の誘引部は、前記植毛部を植毛面に対して略垂直な方向に微振動させる機構であることを特徴とする請求項１に記載の捕虫器。
【請求項６】
前記第２の誘引部は、前記第１の誘引部から前記捕獲部に向けて送風するファンを有し、該ファンによる風圧によって、前記第１の誘引部に誘引された虫を前記植毛部に付着させることを特徴とした請求項５に記載の捕虫器。
【請求項７】
前記捕獲部に捕獲された虫を熱死させる加熱部をさらに備えること特徴とする請求項１乃至請求項６のいずれか一項に記載の捕虫器。
【請求項８】
前記捕獲部に捕獲された虫の存在を検知する検知部をさらに備え、
前記検知部は、一定数以上の虫の存在を検知したときに前記加熱部を動作させることを特徴とする請求項７に記載の捕虫器。
【発明の詳細な説明】
【技術分野】
【０００１】
本発明は、誘引源に誘引された虫を捕獲する捕虫器に関する。
【背景技術】
【０００２】
従来から、この種の捕虫器として、虫を誘引する光を出射する捕虫用ランプと、捕虫用ランプに誘引された虫を吸着して捕獲する粘着部とを備えた捕虫器が知られている。しかしながら、このような粘着捕獲方式の捕虫器では、粘着部に大量の虫が吸着すると、虫を吸着可能な粘着面が減少し、器具の捕虫効率が低下する。
【０００３】
また、上記捕虫器の他の形態として、粘着部に代えて、捕虫用ランプに誘引された虫に電撃を与える電極部とを備え、電極部によって電撃を与えた虫を捕獲するようなものがある。しかしながら、このような電撃捕獲方式の捕虫器では、器具の捕虫効率が低下することはないものの、虫に電撃を与える際に耳障りな電撃音が発生する。また、電撃を受けた虫の死骸が飛散し、器具周辺の環境が汚れてしまうことがある。
【０００４】
なお、虫が一時的に留まる着地部材と、着地部材に留まった蚊を捕獲する捕獲部を備えた捕虫器において、着地部材に留まった蚊を剥離するため、捕獲部が、動物の毛やナイロン繊維等を植毛したブラシ部材を有したものがある（例えば、特許文献１参照）。しかしながら、このような捕虫器は、上述したような問題を解決するものではない。
【特許文献１】特開２００６−２２３２０４号公報
【発明の開示】
【発明が解決しようとする課題】
【０００５】
本発明は、上記問題を解決するためになされたものであり、器具周辺の環境を汚すことなく虫を静かに捕獲可能であり、また大量の虫を捕獲しても器具の捕虫効率が低下することがない捕虫器を提供することを目的とする。
【課題を解決するための手段】
【０００６】
上記目的を達成するために請求項１の発明は、虫を誘引する第１の誘引部と、前記第１の誘引部に誘引された虫を捕獲する捕獲部とを備えた捕虫器であって、前記捕獲部の入口に設けられ、該入口から該捕獲部の内部に向かう方向に傾斜して植毛された植毛部と、前記第１の誘引部に誘引された虫を、前記植毛部を通して前記捕獲部の内部へ誘引する第２の誘引部とを備えるものである。
【０００７】
請求項２の発明は、請求項１に記載の発明において、前記第２の誘引部は、前記捕獲部の内部に設けられており、前記第１の誘引部よりも高い誘虫効果を有しているものである。
【０００８】
請求項３の発明は、請求項１に記載の発明において、前記第１の誘引部及び第２の誘引部は、前記捕獲部の内部に設けられた１つの誘引源であるものである。
【０００９】
請求項４の発明は、請求項３に記載の発明において、前記第１の誘引部及び第２の誘引部は、紫外線を含有する光を出射する捕虫用ランプであり、前記植毛部は、透光性を有するものである。
【００１０】
請求項５の発明は、請求項１に記載の発明において、前記第２の誘引部は、前記植毛部を植毛面に対して略垂直な方向に微振動させる機構であるものである。
【００１１】
請求項６の発明は、請求項５に記載の発明において、前記第２の誘引部は、前記第１の誘引部から前記捕獲部に向けて送風するファンを有し、該ファンによる風圧によって、前記第１の誘引部に誘引された虫を前記植毛部に付着させるものである。
【００１２】
請求項７の発明は、請求項１乃至請求項６のいずれか一項に記載の発明において、前記捕獲部に捕獲された虫を熱死させる加熱部をさらに備えるものである。
【００１３】
請求項８の発明は、請求項７に記載の発明において、前記捕獲部に捕獲された虫の存在を検知する検知部をさらに備え、前記検知部は、一定数以上の虫の存在を検知したときに前記加熱部を動作させるものである。
【発明の効果】
【００１４】
請求項１の発明によれば、植毛部が捕獲部の入口から捕獲部の内部に向かう方向に傾斜しているので、第２の誘引部によって誘引され、植毛部に侵入した虫は、逆行できなくなり、植毛部を通り抜けると捕獲部に捕獲される。そのため、大量の虫が捕獲部に捕獲されていても、器具の捕虫効率が低下することがない。また、静かに虫を捕獲できると共に、虫を捕獲する際に器具周辺の環境が汚れることがない。
【００１５】
請求項２の発明によれば、第１の誘引部に誘引された虫が、第２の誘引部の誘引効果により自発的に植毛部に侵入し、捕獲部の内部に向かって植毛部を移動するので、機械的な手段を用いて虫を強制的に捕獲部の内部へ送り込む場合と比較して、第２の誘引部の構成が簡素化され、低コストで故障が少ない。
【００１６】
請求項３の発明によれば、１つの誘引源で虫を捕獲部の内部へ誘引することができるので、部品点数が削減され、本器具の構造を簡素化できる。
【００１７】
請求項４の発明によれば、第１の誘引部及び第２の誘引部である捕虫用ランプから出射された光は、植毛部を透過して捕獲部の外部に出力されるので、多くの虫は上記光に含まれる紫外線に誘引される特性を有しているため、多種多様の虫を誘引して捕獲することが可能となる。また、第１の誘引部及び第２の誘引部を炭酸ガス等の匂い源とした場合と比較して、経時的な劣化が少ないので、メンテナンスフリーで器具の捕虫効率を長期間維持できる。
【００１８】
請求項５の発明によれば、植毛部の振動動作によって、植毛部を通る虫が強制的に捕獲部の内部へ送り込まれるので、器具の捕虫効率が向上する。
【００１９】
請求項６の発明によれば、第１の誘引部に誘引された虫が植毛部に確実に付着されるので、植毛部の振動動作によって該虫を確実に捕獲部の内部に送り込むことが可能となり、器具の捕虫効率が向上する。
【００２０】
請求項７の発明によれば、捕獲部に捕獲された虫を加熱部によって熱死させることで、ユーザが、該虫を捕獲部から排出する際に、虫が逃げ出してしまうことがない。また、植毛部が捕獲部を断熱する部材として機能し、捕獲部の内部温度を効果的に上昇させることができるので、捕獲された虫を確実に熱死させることができる。
【００２１】
請求項８の発明によれば、捕獲部に捕獲された虫が増加したときにだけ加熱部を動作させることができるので、省エネルギー化を図れる。
【発明を実施するための最良の形態】
【００２２】
（第１の実施形態）
本発明の第１の実施形態に係る捕虫器について図１乃至図３を参照して説明する。図１、図２は本実施形態に係る捕虫器１の構成を示す。捕虫器１は、ハエや蚊等の飛翔性を持つ害虫を誘引し、これら虫を捕獲するものであって、虫の多い屋外空間や、屋外空間に面した建物内の空間等に設置される。捕虫器１は、虫２０を誘引する第１の誘引部としての誘虫光源２と、誘虫光源２に誘引された虫２０を捕獲する捕獲部３と、捕獲部３の入口に設けられ、この入口から捕獲部３の内部に向かう方向に傾斜して植毛された植毛部４と、誘虫光源２に誘引された虫２０を植毛部４を通して捕獲部３の内部へ誘引する第２の誘引部としての誘虫光源５と、上記各部を収容する筐体６とを備える。筐体６は、その前方に誘虫光源２から出射される光を外部に放出するための開口６１を有する。
【００２３】
誘虫光源２は、紫外線を含有する光を出射する直管型の捕虫用ランプであって、筐体６の内方両側面に配されたソケット６２に取り付けられている。誘虫光源２の出射光に含まれる紫外線は、虫の走光曲線又は視感度曲線に基づいて設定されており、高い誘虫効果を有している。ソケット６２は、筐体６の内部に設けられた安定器６３と接続されており、この安定器６３は、電源線６４を介して商用電源と接続される。
【００２４】
捕獲部３は、誘虫光源２の下方に設けられており、誘虫光源２の長手方向に沿って延在し、上方が開放された箱型形状となっている。捕獲部３の上部は、上述の植毛部４によって覆われている。捕獲部３を構成する部材は、捕獲した虫２０が逃げ出すことがない細かな網目を有する網状部材であってもよいが、美観上の観点より、捕獲した虫２０を外部から完全に遮断できる板状部材であることが望ましい。捕獲部３は、その内部に居る虫２０を容易に排出できるように、筐体６に対して脱着自在とされている。なお、このような虫２０の排出のため、捕獲部３は、筐体６に対して開閉自在とされていてもよい。
【００２５】
誘虫光源５は、上述と同様の捕虫用ランプであって、捕獲部３の内部、すなわち捕獲部３と植毛部４とで構成される空間内に設けられており、該空間内に配されたソケット３１に取り付けられている。このソケット３１は、上述の安定器６３と接続されている。誘虫光源５は、第１の誘引部としての誘虫光源２よりも高い誘虫効果を有しており、具体的には、誘虫光源５の出射光に含まれる紫外線の強度が、誘虫光源２よりも大きくされている。
【００２６】
植毛部４は、捕獲部３の前後方向に略一定間隔に配列された複数の基材４１と、基材４１に植え付けられた極細の毛材４２とを備え、捕獲部３の上部を覆うように配されている。図３（ａ）、（ｂ）は植毛部４の構成を示す。基材４１は、長尺板状の部材から成り、その長さ寸法は捕獲部３の長さと略等しく設定され、幅寸法は毛材４２の仕様に応じた所定の長さに設定される。毛材４２は、毛先側が捕獲部３の内部に向かって傾斜するように、基材４１の側面に植え付けられおり、植毛面、すなわち基材４１の側面の法線に対する毛材４２の傾きが、３０°〜６０°程度にされることが望ましい。隣接する毛材４２同士の間には、虫２０が侵入することが可能な大きさの隙間ｓが設けられている。ここで、毛材４２としては、直径が０．０１〜０．３ｍｍ程度であって、長さが５ｍｍ〜３０ｍｍ程度であるアクリル繊維、ナイロン繊維、フッソ繊維、ガラス繊維、ポリエチレン繊維、豚毛等が用いられる。
【００２７】
毛材４２の植毛方法としては、毛材を数本〜数百本毎に束ねて毛束を生成し、この毛束を植毛面に形成した穴に入れ、植毛面に接着固定する方法が挙げられ、本方法において、毛束は植毛面に数ヶ所に渡って植え付けられる。このような植毛方法を用いることで、本発明のような毛材を有した歯ブラシと同様の製造設備によって植毛部４を製造できる。上記植毛方法を用いた場合、毛束１箇所当たりの植毛密度は、０．５〜２００本／ｍｍ２程度であればよく、特に１０〜１００本／ｍｍ２程度であることが望ましい。また、毛束１箇所当たりの植毛面積は０、５〜３ｍｍ程度で、毛束同士の間隔は２ｍｍ以下であることが望ましい。基材４１の材質としては、成形容易なポリプロピレンやアクリル等の樹脂材料が挙げられる。
【００２８】
次に、上記のように構成された捕虫器１の作用について説明する。ユーザにより本器具１の電源が投入されると、誘虫光源２及び５の各々が点灯する。本器具１の周辺に居る虫２０は、誘虫光源２から出射された光により誘引される。誘虫光源２に誘引された虫２０は、誘虫光源５から出射された光により誘引され、植毛部４に侵入する。植毛部４に侵入した虫２０は、捕獲部３の内部に向かって植毛部４を移動し、植毛部４を通り抜けると捕獲部３に捕獲される。捕獲部３に捕獲された虫２０は、餌や水分の不足によって死滅する。
【００２９】
以上、本実施形態に係る捕虫器１によれば、植毛部４が捕獲部３の入口から捕獲部３の内部に向かう方向に傾斜しているので、植毛部４に侵入した虫２０は、逆行できなくなり、植毛部４を通り抜けると捕獲部３に捕獲される。そのため、大量の虫２０が捕獲部３に捕獲されていても、器具の捕虫効率が低下することがない。また、静かに虫２０を捕獲できると共に、虫２０を捕獲する際に本器具１の周辺の環境が汚れることがない。
【００３０】
また、誘虫光源２に誘引された虫２０が、誘虫光源５の誘虫効果により、自発的に植毛部４に侵入し、捕獲部３の内部に向かって植毛部４を移動するので、機械的な手段を用いて虫２０を強制的に捕獲部３の内部へ送り込む場合と比較して、第２の誘引部の構成が簡素化され、低コストで故障が少ない。また、第１の誘引部及び第２の誘引部を炭酸ガス等の匂い源とした場合と比較して、経時的な劣化が少ないので、メンテナンスフリーで器具の捕虫効率を長期間維持できる。
【００３１】
（第２の実施形態）
本発明の第２の実施形態に係る捕虫器について図４及び図５を参照して説明する。図４、図５は本実施形態に係る捕虫器１の構成を示す。本実施形態では、植毛部４が筐体６の開口６１に設けられ、本器具１の前側部分全体が捕獲部３となっており、第１の誘引部及び第２の誘引部として、１つの誘虫光源７が捕獲部３の内部に設けられた構成となっている。また、植毛部４は透光性を有しており、基材４１には、紫外線吸収剤を含まないアクリル系樹脂又はガラス系樹脂等が用いられ、毛材４２には、紫外光透過率が高いアクリル繊維、フッソ繊維、ガラス繊維、ポリエチレン繊維等が用いられている。これにより、誘虫光源７から出射された光は、植毛部４を透過して捕獲部３の外部に出力される。
【００３２】
以上、本実施形態に係る捕虫器１によれば、１つの誘引源で虫２０を捕獲部３の内部へ誘引することができるので、部品点数が削減され、本器具１の構造を簡素化できる。また、誘虫光源２から出射された光は、植毛部４を透過して捕獲部３の外部に出力されるので、多くの虫は上記光に含まれる紫外線に誘引される特性を有しているため、多種多様の虫を誘引して捕獲することが可能となる。
【００３３】
（第３の実施形態）
本発明の第３の実施形態に係る捕虫器について図６乃至図９を参照して説明する。図６、７は本実施形態に係る捕虫器１の構成を示す。本実施形態は、機械的な手段を用いて虫２０を強制的に捕獲部３の内部に誘引し、且つ捕獲部３に捕獲された虫２０を死滅させる手段を設けた点で第１の実施形態と相違する。
【００３４】
捕虫器１は、第２の誘引部として、誘虫光源２から捕獲部３に向けて送風するファン８及び、植毛部４を植毛面に対して略垂直な方向に微振動させる振動機構９を備える。ファン８は、誘虫光源２の上方に、送風口を下向きにして設けられており、風圧によって誘虫光源２に誘引された虫２０を植毛部４に付着させる。また、上記ファン８に代えて、捕獲部３の内部にエアバキュームポンプを設置し、該ポンプの吸引力によって、誘虫光源２に誘引された虫２０を植毛部４に付着させるようにしてもよい。
【００３５】
図８（ａ）、（ｂ）は振動機構９の構成を示す。振動機構９は、植毛部４の一端に設けられたリニアモータで構成され、該モータの可動部９１が基材４１の上部に、隣接する基材を隔てて配されている。可動部９１は、基材４１の配列方向に高速に往復運動し、互いに対向する植毛面同士の間隔を変動させる。
【００３６】
図７に戻って、捕虫器１は、捕獲部３に捕獲された虫２０を熱死させる加熱部１０と、捕獲部３に捕獲された虫２０の存在を検知する検知部１１とをさらに備える。加熱部１０は、捕獲部３の内部気温を高める装置であって、具体的には、捕獲部３の内壁に配設された電熱線等で構成される。
【００３７】
検知部１１は、捕獲部３の内部において一定数以上の虫２０の存在を検知したときに、加熱部１０に駆動信号を送出して加熱部１０を動作させる。検知部１１としては、例えば、赤外線によって動体の有無を検知する赤外線センサが挙げられる。ここで、検知部１１を赤外線センサとした場合、該センサのセンシング部において１秒以上の赤外線遮回数が１分間当たり３回を超えたときに、十分な数量の虫が捕獲部３に捕獲されたと判断して加熱部１０を動作させるようにする。また、検知部１１の他の構成としては、捕獲部３の内部をカメラで撮影し、その画像データに基づいて捕獲部３に捕獲された虫２０の数量を演算するようなものが挙げられる。
【００３８】
次に、上記のように構成された捕虫器１の作用について説明する。ユーザにより本器具１の電源が投入されると、誘虫光源２が点灯すると共にファン８が動作する。併せて、振動機構９によって植毛部４が微振動を開始する。本器具１の周辺に居る虫２０は、誘虫光源２から出射された光により誘引される。誘虫光源２に誘引された虫２０は、ファン８の風圧によって植毛部４に付着する。この付着した虫２０は、植毛部４の振動動作によって、捕獲部３の内部へ送り込まれ、植毛部４を通り抜けると捕獲部３によって捕獲される。捕獲部３に捕獲された虫２０が増加すると、検知部１１が加熱部１０を動作させ、これにより該虫２０は熱死する。
【００３９】
図９は植毛部４の振動動作により虫２０が捕獲部に送り込まれる作用を時系列に示す。ファン８の風圧により植毛部４に付着した虫２０は、誘虫光源２側（図中における上側）に位置する毛材４２に付着した状態となっている。このような状態において、植毛面同士の間隔が狭まると、毛材４２が捕獲部３側（図中における下側）に向かってさらに傾斜し、これにより虫２０は捕獲部３側へ押し込まれる。植毛面同士の間隔が拡がると、毛材４２は元の状態に復帰する一方で、捕獲部３側へ押し込まれた虫２０は、より捕獲部３側に位置する毛材４２の毛先に引っ掛かった状態となっており、その状態が保持される。このような動作が繰り返し行なわれることで、虫２０が捕獲部３の内部に送り込まれる。
【００４０】
以上、本実施形態に係る捕虫器１によれば、ファン８の風圧によって、誘虫光源２に誘引された虫２０が植毛部４に確実に付着されると共に、植毛部４の振動動作によって、植毛部４を通る虫２０が強制的に捕獲部３の内部へ送り込まれるので、器具の捕虫効率が向上する。また、捕獲部３に捕獲された虫２０を加熱部１０によって熱死させることで、ユーザが、該虫２０を捕獲部３から排出する際に、虫２０が逃げ出してしまうことがない。また、植毛部４が捕獲部３を断熱する部材として機能し、捕獲部３の内部温度を効果的に上昇させることができるので、捕獲部３に捕獲された虫２０を確実に熱死させることができる。また、捕獲部３に捕獲された虫２０が増加したときにだけ加熱部１０を動作させることができるので、省エネルギー化を図れる。
【００４１】
なお、本発明は、上記各種実施形態の構成に限られず、発明の趣旨を変更しない範囲で種々の変形が可能である。例えば、上述の実施形態では、誘虫光源を用いて虫を誘引する例を示したが、これに限られず、虫の好む匂いを発する匂い源を用いて虫を誘引するようにしてもよい。また、第１の実施形態において、誘虫光源２に誘引した虫２０を捕獲部３の内部に誘引するために、誘虫光源２を１つの捕虫用ランプで構成し、誘虫光源５を複数の捕虫用ランプで構成するようにしたものであってもよい。また、第３の実施形態に示した捕獲部３の内部に捕虫用ランプをさらに設けることで、器具の捕虫効率を一層高めるようにしたものであってもよい。
【図面の簡単な説明】
【００４２】
【図１】本発明の第１の実施形態に係る捕虫器の斜視図。
【図２】上記捕虫器の側面断面図。
【図３】（ａ）は上記捕虫器の植毛部の斜視図、（ｂ）は同植毛部の一部を拡大した断面図。
【図４】本発明の第２の実施形態に係る捕虫器の斜視図。
【図５】上記捕虫器の側面断面図。
【図６】本発明の第３の実施形態に係る捕虫器の斜視図。
【図７】上記捕虫器の側面断面図。
【図８】（ａ）は上記捕虫器の振動機構の斜視図、（ｂ）は同振動機構の側面図。
【図９】上記捕虫器における植毛部に居る虫が捕獲部に送り込まれる作用を時系列に示す図。
【符号の説明】
【００４３】
１  捕虫器
２  誘虫光源（第１の誘引部）
３  捕獲部
４  植毛部
５  誘虫光源（第２の誘引部）
７  誘虫光源（第１の誘引部、第２の誘引部）
８  ファン（第２の誘引部）
９  振動機構（第２の誘引部）
１０  加熱部
１１  検知部
２０  虫
【図１】
2009296987.tif 000003
【図２】
2009296987.tif 000004
【図３】
2009296987.tif 000005
【図４】
2009296987.tif 000006
【図５】
2009296987.tif 000007
【図６】
2009296987.tif 000008
【図７】
2009296987.tif 000009
【図８】
2009296987.tif 000010
【図９】
2009296987.tif 000011